Podtech/llm-jp-corpus-v4-ja_patent huggingface dataset:
(57)【要約】      （修正有）【課題】ライダーの靴底との接触を曲面で接することにより、ライダー全身に力が入り、安全安心が図れ、これによって十分な運転操作が発揮できるオートバイのフートレストバーを提供する。【解決手段】全体を形成する枠体１は曲面Ｒ状に形成した枠体とこれを囲む枠によって構成されていて、横枠となる曲面Ｒ状の枠には靴底との摩擦接触を得るための歯形状の凹凸部４を設ける。【選択図】図２
0003142232.tif 000002
【実用新案登録請求の範囲】
【請求項１】
靴底の当接面（１）を曲面形状Ｒに形成したことを特徴としたオートバイのフートレストバー。
【請求項２】
靴底の当接面（１）を曲面状Ｒに形成した数本の枠体（３）で形成し、該枠体（３）の上面に歯形状の凹凸部（４）を設けたことを特徴とした請求項１に記載のオートバイのフートレストバー。
【考案の詳細な説明】
【技術分野】
【０００１】
本考案は、オートバイのステップであるフートレストバーＡに関する。
【背景技術】
【０００２】
このオートバイのフートレストバーＡは街中や一般の道路面を走行しているときは、運転者はフートレストバーＡに足を載せた普通の姿勢で走行し、たまにカーブ等で姿勢を傾ける際に片足に体重が掛ってバランスを保つ程度の部分であるため、平面状の板状体が図１のＡで示すように突出されている。
【特許文献１】特開２００４−１２３０４７号公報
【考案の開示】
【考案が解決しようとする課題】
【０００３】
このように、オートバイのフートレストバーは街中や平坦な路面を走行している際は、運転者は普通の姿勢で座っていて、フートレストバーには足を載せているのみであるためフートレストバーＡは、平面形の板体であっても足（靴底）にフィットしてバランスが十分に保たれている。しかし、荒地や山道等の走行の場合、例えば競技としてのモトクロスレースやトライアルレース等の場合には、凹凸の激しい荒地や山道を走行する場合が多く、運転者（ライダー）は常に立ち姿勢でバランスを取りながらオートバイを操作している。この際にはライダーの体重は常にフートレストバーＡの角の一点に掛っている。
【０００４】
このときの足（靴底）と、フートレストバーＡの接触の場合の説明を添付図面の第５図により説明する。この図中イ図は通常の平坦地の場合での靴底とフートレストバーＡの接触関係を示した説明図で、靴底はフートレストバーＡの面に完全にフィットしていてバランスが保たれている。ロ図はレース中の凹凸道の上り部分の実施例図で、オートバイ（図示していない）は、上方に向き、ライダーは立ち姿勢でいる。このときのフートレストバーＡと靴底の接触関係を示した説明図で、靴底はフートレストバーＡの角の一点のみで接触し、この一点のみにライダーの体重が掛り、この姿勢でオートバイを操作するためバランスがとりにくく、このような運転が続くと体力の疲労も激しくなる。
【課題を解決するための手段】
【０００５】
考案者は、このフートレストバーＡについて鋭意研究を重ねた結果本考案に到達したものであって、オートバイの荒地や山道走行の場合、オートバイの車体は上下左右に動き、固定されているフートレストバーＡの動きは球面状の軌跡をとる。このため平面状のフートレストバーＡでは不安定な状態になる欠点が前記図５のロ図で図示するように判明した。
【０００６】
このため先ず、考案者は自転車のペダルのように回転するフートレストバーＡを採用し、実際に走行を試みた。しかし、この回転式のフートレストバーＡは、回転があるためオートバイの姿勢に対して自由に回転してライダーの靴底に力が入らず、バランスを保つ点できわめて不安定なことが判明し、更に改良を重ねた結果、図２に示すようにフートレストバーＡの靴底への当接面（１）を曲面状Ｒの形状に形成することによって、図３に示すような靴底とフートレストバーＡの接触関係が判明した。
【０００７】
この図３のイ図は、平地走行の場合の靴底とフートレストバーＡの接触関係図で、フートレストバーＡは安定して接触している。ロ図は図示していないが、オートバイが上向きになり、ライダーは立ち姿勢で操作している時のライダーの靴底とフートレストバーＡの接触状態を図示したもので、この図によって理解できるように、靴底はフートレストバーＡの曲面Ｒに安定した状態で接し、ライダーは不安なくバランスがとれ力の入る走行が可能となった。
【考案の効果】
【０００８】
本考案は、前記したようにオートバイのフートレストバーＡの形状を曲面Ｒとすることによって、ライダーの靴底との接触を曲面で接することにより、ライダー全身に力が入り、安全安心が図れ、これによって十分な運転操作が発揮できることで、特にこのフートレストバーＡを競技用のオートバイに採用することによって卓越した技術上の効果を相乗発揮できる。
【実施例】
【０００９】
添付図面により本考案のフートレストバーＡの形状を説明する。図２はフートレストバーＡの全体の形状を理解できる如く斜視図で示している。（１）は全体を形成する枠体で、図示するように曲面Ｒ状に形成した枠体とこれを囲む枠によって構成されていて、横枠となる曲面Ｒ状の枠には靴底との摩擦接触を得るための歯形状の凹凸部（４）を設ける。
【００１０】
本考案のフートレストバーＡの作用を図３により説明する。イ図は平坦の面を運転中の運転者の靴底と本考案のフートレストバーＡとの接触状態を示した説明図で、このイ図の場合では靴底とフートレストバーＡの接触は、靴底がフートレストバーＡの曲面の頂部に置かれて安定している。
【００１１】
次にロ図について説明すると、ロ図では図示していないが、オートバイが上向きに傾いた場合の靴底とフートレストバーＡとの接触を説明した図であり、この図によって理解できるように、このオートバイの傾きでライダーは立ち姿勢でオートバイを操作していてもライダーの靴底とフートレストバーＡとの接触は、比較参考図として示した。図５のロ図で示した従来のフートレストバーＢの平面状のフートレストバーＢの場合では、角の一点で靴底と接触していて不安定であり、この姿勢が続くときは、ライダーの疲労も加わる状況となる。
【産業上の利用可能性】
【００１２】
上述のように本考案のオートバイのフートレストバーＡは、従来の平面状のものに比較して曲面Ｒ状に形成することによって、走行中の安定が図れ、特に競技用のオートバイに適用した場合では、ライダーの安全依頼が高く、この形状のフートレストバーの採用は特に優れている。
【図面の簡単な説明】
【００１３】
【図１】参考のため示したオートバイのフートレストバーＡの位置を示す
【図２】本考案のフートレストバーＡの全体図
【図３】イ図、ロ図共本考案のフレストバーＡの作用図
【図４】参考のために示す従来のフートレストバーＢの全体図
【図５】イ図、ロ図共参考のために示した従来のフートレストバーＢの作用図
【符号の説明】
【００１４】
１  フートレストバーＡを形成する枠体（曲面状）
３  補助枠
４  歯形状の摩擦部
５  車体取付部
【図１】
0003142232.tif 000003
【図２】
0003142232.tif 000004
【図３】
0003142232.tif 000005
【図４】
0003142232.tif 000006
【図５】
0003142232.tif 000007
(57)【要約】      （修正有）【課題】断熱効果の優れた発泡スチロールパネルを用い、簡単な構造で省エネルギー効果を有する農業用ハウスを提供する。【解決手段】切妻型の屋根をもつ家形を鉄筋フレーム１で構造し、この外側に発泡スチロールパネル２を添着して形成する断熱性の優れた省エネ形の農業用ハウスであって、全く光を必要としない農作物の生産、光や温度の調整を要する農生産物の育成に適している。【選択図】図１
0003142237.tif 000002
【実用新案登録請求の範囲】
【請求項１】
鉄筋フレーム（１）で家形の骨組を構築し、この外側に発泡スチロールパネルを貼設してなる断熱材でできた農業用ハウス。
【考案の詳細な説明】
【技術分野】
【０００１】
本考案は、鉄骨材で家形のフレームを組み、発泡スチロール板で全体を包被した断熱材でできた農業用ハウスに関する。
【背景技術】
【０００２】
従来から断熱効果を高める省エネルギー形の農業用ハウスは、多くの考案が開発されているが、その傾向としては、壁面をビニールシートで二重構造とする農業用ハウスが造られている。
【特許文献１】特開２００７−２０４９２号公報
【考案の開示】
【考案が解決しようとする課題】
【０００３】
石化エネルギーが高騰する現在、農業用ハウスの温度管理においてもエネルギー問題は大きく夏期は冷房に、冬期は暖房に常にエネルギーが必要であり、そのための対策として種々の開発がなされ、前記特許文献に示されるようにエアーマットを側壁や天井に断熱層とした断熱用の農業用ハウスが公知であるが、構造が複雑なため構築の手間や経費の点及び耐久性においても問題が生じる。
【課題を解決するための手段】
【０００４】
考案者は、この断熱効果のある農業用ハウスについて長年試作研究を続けた結果、本考案に到達したものであって、本考案は、農業用ハウス全体を発泡スチロール板で包囲する農業用ハウスを完成することに成功した。
【０００５】
発泡スチロールは断熱材としては、その効果は十分であるが、軽量のため風に対して不安があり、また曲面を形成するにも難があるため、添付図面に示すような家形の農業用のハウスに限られるか、鉄骨材（１）で家形に天井（２）、壁面（３）を組み、この骨組に発泡スチロールパネル（５）を添設して農業用ハウスを完成させる。
採光や照明及び風通しについて難があれば、窓を開口すること、照明を導入すること、換気については換気扇を設けることや、前記したように窓を設けることによって解決できる。
【考案の効果】
【０００６】
本考案の断熱材による農業用ハウスは、家形となるため、ハウス内は高さがあり作業がし易く断熱性にすぐれているため、断熱性が完全のため、冬期に暖房を必要とし、また夏期に冷房が必要としても極く小型のもので足り、省エネに貢献できる。そして、特に光を遮断した農作物の生育栽培に適し、例えば温度や光を調整するモヤシの生産、白アスパラや雪ウルイ等の生産、サクランボの生育・ケイオウ桜の栽培に適して、その効果は特に顕著である。
【考案を実施するための最良の形態】
【０００７】
添付図面により本考案を説明すると図は家屋形の断熱材でできた農業用ハウスＡの側面図（正面側の）で、鉄筋フレーム（１）で屋根形の鉄筋を組み、この全周囲を屋根部を含めて全体を包囲する。
【実施例】
【０００８】
本考案の農業用ハウスＡは全囲を発泡プラスチックプレート（３）で全面を覆う。このため暗の中での栽培生育を好む野菜、例えばモヤシの栽培生産や冬期の山菜として好まれる雪うるい、さらには白アスパラ等の成育に適し、また採光や換気が必要なときは開閉できる窓を設けて解決する。
【０００９】
発泡スチロールパネル（２）の大きさは１平方ｍ、厚さは１０〜１２ｍｍ程度で強度も十分あり、この間隔で鉄筋フレーム（１）を組んで家屋形に形成する。この取付けに当っては座板を使用してボルト締めにすることによって簡単に取付けられるが、場所によっては接着剤を使用して構築することもできて強固な農業用ハウスＡが完成する。
【産業上の利用可能性】
【００１０】
上述のように、本考案の農業用ハウスＡは、発泡プラスチックパネルを使用するため、安価で簡単に形成できるため、光を遮断して生産する野菜やハウスＡ自体高さの調節ができるため光や温度・季節を自由に調節可能なため、高さのあるサクランボやケイオウ桜など山形県の特産物の生産に大いに利用できる。
【図面の簡単な説明】
【００１１】
【図１】本考案の農業用ハウスＡの側面（正面側）図
【符号の説明】
【００１２】
１  骨組となる鉄筋フレーム
２  発泡プラスチックパネル
【図１】
0003142237.tif 000003
(57)【要約】      （修正有）【課題】展翅板の種類ごとに針の挿入位置が変わるため針の位置（センターリング）の調整が必要になる。【解決手段】ストッパー部分を取り付けるによりセンターリングを可能にした。【選択図】図１
0003142294.tif 000002
【実用新案登録請求の範囲】
【請求項１】
蝶を展翅するときに垂直にするための工具の装置において
（１）昆虫針を挿入するためのガイド部分  １
（２）昆虫針挿入の際  押えこみ部分の役割もち、挿入後は分離できる部品  ２
以上からなる蝶展翅用正芯治具。
【考案の詳細な説明】
【技術分野】
【０００１】本考案は、従来の諸問題を回避できるよう工夫された蝶展翅用正芯治具に関するものである。
【背景技術】
【０００２】蝶を展翅するときに、針を垂直に設定することが感によることが多く正確性にかけていた。この治具によりずれを解消することができる。
【図面の簡単な説明】
【０００３】
【図１】部品の正面図である。
【図２】使用状況の図である。
【符号の説明】
【０００４】１  昆虫針挿入のためのガイド部分で直方体の木材に鉄板を貼り付けた構成
２  昆虫針を押えこみ部分で、これは針を垂直にするため領域を狭めるためと磁石を採用することにより分離できるようになっている。
３  ガイド部分と押えこみ部分、磁石の力で結合した状態
４  ３の結合した状態で展翅板にサイドから挿入して針とおした後の展翅状態
【図１】
0003142294.tif 000003
【図２】
0003142294.tif 000004
【手続補正書】
【提出日】平成20年2月1日(2008.2.1)
【手続補正１】
【補正対象書類名】実用新案登録請求の範囲
【補正対象項目名】全文
【補正方法】変更
【補正の内容】
【実用新案登録請求の範囲】
【請求項１】
蝶を展翅するときに垂直にするための工具の装置において
昆虫針を挿入するためのガイド部分は、鉄製の板を２枚を針が通るぐらいの隙間をあけて直方体の木材の側面に貼り付け、直方体の左上部に、センターリングのためのストッパー板を貼り付けてなる部品と
昆虫針挿入の際針の通すガイド穴を一時的に側面を封印する役割できるように直方体の木材の側面に磁石板を貼り付けてなる部品とを鉄板側面と磁石板側面を吸着させてなる蝶展翅用正芯治具。
(57)【要約】      （修正有）【課題】チャイルドシートとして、軽量かつ取り外し容易なセフティーベストを提供する。【解決手段】チャイルドシートを、シートカバーと、該シートカバーにマジックテープ（登録商標）３で着脱自在に固定できるベストにより構成する。シートカバーやベストは、軽量な布で構成し、ベスト部分にタスキ縣にベルトを通し、該ベルトは、サイドのベルト押え１に固定することで、軽量化及び取り外し容易性を実現する。【選択図】図１
0003142293.tif 000002
【実用新案登録請求の範囲】
【請求項１】
本新案は今ある、チャイルドシートが使いにくい為、もっと使い易く出来ないか思い考えました、
本体を布生地で作りベストの部分をメッシュにしてベストの合わせ部分はマジックテープにして扱いやすくシートベルト押さえの部分は革か厚手の生地で作りシートカバーとベストも着脱可能のマジックテープで使いやすくした機能を持つ物
【考案の詳細な説明】
【技術分野】
【００１】
【背景技術】
【００２】
【考案の開示】
【考案が解決しようとする課題】
【００３】今あるチャイルドシートは１才から使いにくく取り替えるのに重く便利が悪いので使い易い用にする、
【課題を解決するための手段】本体を布制にして取り外しをが出来るようにしてそのままでシートが使えるようにした
【考案の効果】子供の乗せ降ろしがしやすくなり場所を取らないので使わない時にベストをはずすと座席がつかえる
【図面の簡単な説明】
【図１】正面図  背面図
【図２】平面図
【符号の説明】
１  サイドのベルト押さえ
２  ベストのベルト押さえ
３、ベストとシートカバーのマジックテープ部分
４  ベストのマジックテープ部分
【図１】
0003142293.tif 000003
【図２】
0003142293.tif 000004
【手続補正書】
【提出日】平成20年2月18日(2008.2.18)
【手続補正１】
【補正対象書類名】実用新案登録請求の範囲
【補正対象項目名】全文
【補正方法】変更
【補正の内容】
【実用新案登録請求の範囲】
【請求項１】
：本体を布生地で作りベストの部分をメッシュにして    ：ベストの合わせ部分は「マジックテープ（登録商標）」で    ：取り外ししやすくして    ；シートベルト押さえの部分は皮か厚手の生地で    ：作りシートカバーとベストも着脱可能の機能を持たせて    ：使いやすくした「セフテイベスト」
【手続補正２】
【補正対象書類名】明細書
【補正対象項目名】全文
【補正方法】変更
【補正の内容】
【考案の詳細な説明】
【技術分野】
【００１】
【背景技術】
【００２】
【考案の開示】
【考案が解決しようとする課題】
【００３】今あるチャイルドシートは１才から使いにくく取り替えるのに重く便利が悪いので使いやすいようにする
【課題を解決するための手段】本体を布製にして取り外しが出来る様にしてそのままでシートが使えるようにした
【考案の効果】子供の乗せ降ろしがしやすくなり場所を取らないので使わない時にベストをはずすと座席が使える
【図面の簡単な説明】
【図１】正面図  背面図
【図２】平面図
【符号の説明】
１    サイドのベルト押さえ２    ベストのベルト押さえ３    ベストとシートカバーの接合部分４    ベストの接合部分
(57)【要約】      （修正有）【課題】身につけて持ち歩きができ、セルフプレーでのわずらわしさが無く、マーカがスポンジの蓋の役割も果たすので衣服も汚さずにプレーができ、フォークが手元にあるのでディボットを修復するようになるなど、マナー向上のためにも良い。【解決手段】今まで別々の場所にあったゴルフマーカー・ボール拭き・グリーンフォークをリストバンド型で合体させる事により、一連の動作でマーク・ボール拭き、また手元にフォークもあるのでディボットの修復をするプレーヤーが増え、マナーの向上へつながる。【選択図】図１
0003142292.tif 000002
【実用新案登録請求の範囲】
【請求項１】
ゴルファーが、プレーに差しつかえることなく腕に身につけて持ち運べ、プレー進行上、ゴルフボールをマークし順次に付着した汚れを手軽かつスピーディに拭き取ることができ、グリーンフォークを内蔵する事でディボット修復まで一連の動作で作業できることを特徴とした、リストバンド型ボールマーカー・グリーンフォーク付きゴルフボールクリーナー。
【考案の詳細な説明】
【技術分野】
【０００１】年々セルフプレー化が進むゴルフ業界で何かと不便なのがボールを拭く作業だがボールマーカーはマーカー・フォークはフォークといった様に別々に開発されており、動作がバラバラで手間がかかっていたが、それを集約して腕につけるだけで上記の作業を一連の流れで行える。
【背景技術】
【０００２】登録実用新案第３０８３１３８号
ブラシ付携帯用小型ゴルフボールクリーナー
識別番号  ５９９１６１６６１
【考案の開示】
【０００３】本考案はリストバンド式にする事により、マーカー・グリーンフォーク・ゴルフボールクリーナーを一体化する事で、グリーン上での作業を一連の動作で終える事ができる。またゴルフマナー向上にも貢献できる。
【考案が解決しようとする課題】
【０００４】ゴルフでセルフプレー時のボールを拭くのに１枚のタオルを複数のプレーヤーで使用するので時間がかかる上、ボールマークは帽子から、グリーンフォークはズボンのポケットからと手間がかかっていた。
【課題を解決するための手段】
【０００５】リストバンド式にする事により、スポンジ内蔵型ボール拭き・マーカー・グリーンフォークを１つにまとめ一連の動作で短時間で作業が完了でき便利。
【考案の効果】
【０００６】身につけて持ち歩きができ、セルフプレーでのわずらわしさが無くなる。
また、マーカーがスポンジの蓋の役割も果たすので衣服も汚さずにプレーができ、フォークが手元にあるのでディボットを修復するようになるなど、マナー向上のためにも良い。
【考案を実施するための最良の形式】
【０００７】リストバンド型ボールマーク、グリーンフォーク付ゴルフボールクリーナー
【実施例】
【０００８】本考案のリストバンド型ボールマーカー・グリーンフォーク付ゴルフボールクリーナーの実施例を図面に従い説明する。グリーン上で本体１にはマグネットで着脱可能なフタ兼マーカー２があり中にはボールを拭くためのマジックテープで着脱可能なスポンジ３が内蔵されている。
また伸縮式のグリーンフォーク４も付いていてディボットの修復を簡単に行う事ができる。
0003142292.tif 000003
【手続補正書】
【提出日】平成20年1月30日(2008.1.30)
【手続補正１】
【補正対象書類名】明細書
【補正対象項目名】全文
【補正方法】変更
【補正の内容】
【考案の詳細な説明】
【技術分野】
【０００１】年々セルフプレー化が進むゴルフ業界で何かと不便なのがボールを拭く作業だがボールマーカーはマーカー・フォークはフォークといった様に別々に開発されており、動作がバラバラで手間がかかっていたが、それを集約して腕につけるだけで上記の作業を一連の流れで行える。
【背景技術】
【０００２】登録実用新案第３０８３１３８号
ブラシ付携帯用小型ゴルフボールクリーナー
【考案の開示】
【０００３】本考案はリストバンド式にする事により、マーカー・グリーンフォーク・ゴルフボールクリーナーを一体化する事で、グリーン上での作業を一連の動作で終える事ができる。またゴルフマナー向上にも貢献できる。
【考案が解決しようとする課題】
【０００４】ゴルフでセルフプレー時のボールを拭くのに１枚のタオルを複数のプレーヤーで使用するので時間がかかる上、ボールマークは帽子から、グリーンフォークはズボンのポケットからと手間がかかっていた。
【課題を解決するための手段】
【０００５】リストバンド式にする事により、スポンジ内蔵型ボール拭き・マーカー・グリーンフォークを１つにまとめ一連の動作で短時間で作業が完了でき便利。
【考案の効果】
【０００６】身につけて持ち歩きができ、セルフプレーでのわずらわしさが無くなる。
また、マーカーがスポンジの蓋の役割も果たすので衣服も汚さずにプレーができ、フォークが手元にあるのでディボットを修復するようになるなど、マナー向上のためにも良い。
【考案を実施するための最良の形式】
【０００７】リストバンド型ボールマーク、グリーンフォーク付ゴルフボールクリーナー
【実施例】
【０００８】本考案のリストバンド型ボールマーカー・グリーンフォーク付ゴルフボールクリーナーの実施例を図面に従い説明する。グリーン上で本体（１）にはマグネットで着脱可能なフタ兼マーカー（２）があり中にはボールを拭くためのマジックテープ（登録商標）で着脱可能なスポンジ（３）が内蔵されている。
また伸縮式のグリーンフォーク（４）も付いていてディボットの修復を簡単に行う事ができる。
【図面の簡単な説明】
【０００９】
【図１】リストバンド型ボールマーク、グリーンフォーク付ゴルフボールクリーナーの正面図面。（１）にはマグネットで着脱可能なフタ兼マーカー（２）があり中にはボールを拭くためのマジックテープ（登録商標）で着脱可能なスポンジ（３）が内蔵されている。また伸縮式のグリーンフォーク（４）も付いていてディボットの修復を簡単に行う事ができる。
【図２】リストバンド型ボールマーク、グリーンフォーク付ゴルフボールクリーナーの図面。フタ兼マーカーを装着した際の正面図面。
【図３】リストバンド型ボールマーク、グリーンフォーク付ゴルフボールクリーナーの図面。右側面より見た図面。リストバンドにはアジャスターがついており、様々な人への装着が可能。
【手続補正２】
【補正対象書類名】図面
【補正対象項目名】全図
【補正方法】変更
【補正の内容】
【図１】
0003142292.tif 000004
【図２】
0003142292.tif 000005
【図３】
0003142292.tif 000006
(57)【要約】      （修正有）【課題】水を電気分解させるための電気分解槽で電極板を自由に配置出来る装置を提供する。【解決手段】電解槽内に納める電極板は１枚ずつ、それぞれ絶縁されていなければならない。現在は電極板の縁をプラスチック材か、ゴム等で縁どりされている。これを金属の槽の中に入れるため、その製作は大変である。該電解槽本体を硬質塩化ビニール製にして、その左右両壁面に等間隔で溝を切り、その溝に電極板をはさみ込むことで、自由に電極板の間隔調整と配列ができる。【選択図】図１
0003142740.tif 000002
【実用新案登録請求の範囲】
【請求項１】
硬質塩化ビニール製電気分解槽で、電解槽自体が絶縁物質であり、電解槽の左右両壁面に等間隔で溝が付けてあり、電極板を配列出来る構造の特徴を有する電気分解槽。
【考案の詳細な説明】
【技術分野】
【０００１】水を電気分解するための分解効率の良い電気分解槽
【背景技術】
【０００２】水を電気分解するための電気分解槽は槽の中に配列する電極板を１枚づつ絶縁する必要がある。また、電解槽の中に電解液を入れるので、電解槽の構造によっては、液漏れが発生することがある。
【考案の開示】
【考案が解決しようとする課題】
【０００３】水を電気分解して水素酸素混合ガスに変える電解槽は電極板の使用数、大きさ、素材と電極板の配置間隔が重要な役割を秘めている。電極板を簡単に配列する構造にする。
【考案を解決しようとする手段】
【０００４】電解槽内に納める電極板は１枚づつ、それぞれ絶縁されていなければならない。  現在は電極板の縁をプラスチック材か、ゴム等で縁どりされている、これを金属の槽の中に入れるため、その製作は大変である。本考案は電解槽本体を硬質塩化ビニール製にして、その左右両壁面に等間隔で溝を切り、その溝に電極板をはさみ込むことで、自由に電極板の間隔調整と配列ができる。
【考案の効果】
【０００５】電解槽本体が絶縁体であり、左右の溝の間隔も自由にできるため、分解能力の向上ができ、電解液漏れもない。
【考案を実施するための最良の形態】
【０００６】▲１▼  硬質塩化ビニール製のボックス形電解槽にする。
▲２▼  電解槽内部の左右両壁面に電極板を均等間隔に並べるための溝を切る。
▲３▼  電極板を数１０枚並べられるようにする。
▲４▼  電極板を収納したあと、フタを取り付け密封する。
【実施例】
【０００７】以下は添付図により実施例を説明する。  図１の側面断面図の１は硬質塩化ビニール製の電解槽である。  図１の平面図の３は電解槽左右壁面の溝で４の電極板が配列されている。電極板配列後、２のフタで密封する。５は水素酸素ガス通路口。６は電気接続部である。
【産業上の利用可能性】
【０００８】水を電気分解して出来た水素酸素混合ガスはＣＯ２排出なしのクリーンエネルギーである。住宅暖房、農業用ビニールハウス暖房、発電機等に利用できる。
【図面の簡単な説明】
【０００９】
【図１】電極板を自由に配列できる電解槽の側面断面図と平面図である。
【符号の説明】
【００１０】１．  硬質塩化ビニール製電解槽
２．  電解槽フタ
３．  電極板並列させる溝
４．  電極板
５．  水素酸素ガス通路口
６．  電気接続部
【図１】
0003142740.tif 000003
(57)【要約】      （修正有）【課題】作業環境の悪い場所でも作業効率が低下しない配線支持材を提供する。【解決手段】ビニールタイの中央部２に釘、木ネジ、画鋲等を使用出来る止め具穴１を備えている。ビニールタイ式配線支持材の大きさは配線するケーブルに応じて決めればよい。止め具穴１の大きさは使用する止め具に応じて決めればよい。止め具穴１の素材は配線するケーブルに応じて決めればよい。【選択図】図１
0003142733.tif 000002
【実用新案登録請求の範囲】
【請求項１】
釘、木ネジ、画鋲等の止め具を使用する為の場所をビニールタイの中央部に設け配線支持材。
【考案の詳細な説明】
【技術分野】
【０００１】  本考案は配線に使用するビニールタイに関する。
【背景技術】
【０００２】  従来の配線ではケーブルとステップルを同時に止めていた。
【考案の開示】
【考案が解決しようとする課題】
【０００３】  しかし、これでは作業環境が悪いとステップルを止めるのに不便である。
【課題を解決するための手段】
【０００４】  そこで、釘、木ネジ、画鋲等の止め具を使用する為の場所をビニールタイの中央部に設けた配線支持材を考案した（図１）。このビニールタイ式配線支持材により作業環境の悪い場所での配線が簡易になる。
【考案の効果】
【０００５】  よって、本考案のビニールタイ式配線支持材により、作業環境の悪い場所でも配線が容易になる。また複数のケーブルの支持を可能になる。また結束及び取り外す際も容易になる。またビニールタイで配線を束ねる為繊細なケーブルにも使用可能になる。
【考案を実施するための最良の形態】
【０００６】  本考案に係るビニールタイ式配線支持材は図１に示すようにビニールタイの中央部２に釘、木ネジ、画鋲等を使用出来る止め具穴１を備えている。ビニールタイ式配線支持材の大きさは配線するケーブルに応じて決めればよい。止め具穴１の大きさは使用する止め具に応じて決めればよい。止め具穴１の素材は配線するケーブルに応じて決めればよい。
【図面の簡単な説明】
【０００７】
【図１】  本考案に係るビニールタイ式配線支持材
【図２】  従来のビニールタイ
【符号の説明】
【０００８】  １  止め具穴
２  中央部
３  針金
４  ビニール素材
【図１】
0003142733.tif 000003
【図２】
0003142733.tif 000004
(57)【要約】      （修正有）【課題】自転車本体にコンパクト車輪を使用して、前輪を２輪、後輪を１輪とし、前後の車輪上に子供用座席を設け、道路を安全に走行する電動３人乗りの３輪自転車を提供する。【解決手段】自転車本体にコンパクト車輪を使用し、前輪３を左右並列２輪で、後輪４を１輪とし、それぞれの上部に子供用座席６，１５を前後に設け、後部座席を前後可変にする。さらに、フットレストとシ−トベルトを備え日除け暴風ネットを着脱式に装備する。座席は蝶番で接続の下部を上げ荷物カゴになる。また、電動バッテリ−１２をサドル下で着脱式に具備する。且つ、前輪２輪を平行にして本体を傾斜させるスプリング機構を前輪軸とハンドル軸で支持することにより、安全走行に役立つ。【選択図】図１
0003142736.tif 000002
【実用新案登録請求の範囲】
【請求項１】
自転車本体にコンパクト車輪を設け、前輪を左右並列２輪にして後輪を１輪に、その前輪と後輪上部の高くない位置に子供用座席を設置し、後輪座席は向きを前後に可変できる、フットレストとシ−トベルトを備え日除け暴風ネットを着脱自在にする、座席は蝶番で係止する下部を上にして荷物カゴになる、補助電動バッテリ−をサドル下でロック着脱式にし、前輪を平行にして本体を傾斜させるスプリング機構を前輪の車軸とハンドル軸で支持したところを特徴とする電動３人乗り３輪自転車。
【考案の詳細な説明】
【技術分野】
【０００１】  本考案は、３輪自転車の前後に２人の子供用座席を設けた、電動３人乗り３輪自転車に関するものである。
【背景技術】
【０００２】  子供を乗せて道路を走行する自転車は、乗車位置も高く不安定で危険な状態で走行していた。
【考案の開示】
【考案が解決しようとする課題】
【０００３】  近くに行く場合でも徒歩では時間的、労働的負担であり、また、車は駐車場がない、さらに、自転車に子供を乗せ道路を走行するのは不安定で危険である。従って、自転車にコンパクト車輪を一体化して前輪が２輪で後輪が１輪の、その車輪上の高くない前後に子供用座席を設け、フットレストとシ−トベルトを装備する電動３人乗り３輪自転車に子供を乗せ走行することが可能になり前述の欠点を解決しようとするものである。
【課題を解決するための手段】
【０００４】  本考案は、自転車本体の前輪を左右並列２輪にして後輪を１輪でコンパクト車輪を設け、その前輪上部に子供用座席を前向きに、後部座席は前向き又は後ろ向きになるようにし、フットレストとシートベルトを備え、日除け防風ネットを装着自在にする、座席は下部を蝶番にて上下可動にして荷物カゴになる、さらに、走行補助電動バッテリ−をサドル下にロック着脱式に装備する、且つ、駐輪時に後輪をストッパ−で固定する、また、カ−ブ等の走行に車体を傾斜するスプリングを前輪軸と、ハンドル軸に具備して安定させることにより問題点を解決している。
【考案の効果】
【０００５】  上述の様に、本考案の電動３人乗り３輪自転車は走行補助電動バッテリ−を装備しているが、それを装備なしで走行することは勿論、コンパクト車輪を使用して前輪を左右並列の２輪に設けているので走行路面の確認が容易で、その車輪上部の高すぎない位置に子供用前座席を設け安定する、後部座席は後ろ向きにもなり子供の成長に合わせて乗り降りを軽減する、しかも、フットレストとシ−トベルトを装備し日除け防風ネットを装着自在に係止し走行時の保護をする、且つ、曲がり道で車体を傾斜させ走行しやすい機構のスプリングを前輪軸とハンドル軸で支持することにより安全走行に役立つ。
【考案の実施するための最良の形態】
【０００６】  自転車本体の前輪を左右並列２輪にして後輪を１輪のコンパクト車輪で、前輪上部に子供用の座席を前向きに設置し前輪軸とハンドル軸で係止する、また、後輪上部の座席の向きは前後可変に設置して乗り降りを軽減する、さらに、フットレストとシ−トベルトを装備し日除け暴風ネットは装着自在にする、しかも、座席下部を蝶番にて上下可動自在で荷物カゴになる。また、走行補助電動バッテリ−をサドル下軸にロック着脱式に装備する、且つ、前輪は平行のままに本体を傾斜するスプリング機構を前輪の車軸とハンドル軸で支持することにより、道路のカ−ブ走行が自在となる。
【実施例】
【０００７】  以下、添付図面に従って一実施例を説明する。１は自転車本体で２のコンパクト車輪を使用し、前輪の左右を３の並列２輪にして４の後輪を１輪にした電動３人乗り３輪自転車、前輪の２輪車軸上５に子供用前座席６を前向きに座席支え８とハンドル軸７で係止する、後輪上部の子供用後部座席１５を前向き又は後ろ向きに設置する、前後の座席に９のフットレストとシ−トベルトを装備し１０の日除け暴風ネットは装着自在にする、且つ１１の座席下部を蝶番で上部に立て荷物カゴにもなる。【０００８】  １２の走行補助電動バッテリ−をサドル下の軸に装備してロック着脱式にする、また、カ−ブ等の走行に前輪を平行にして自転車本体を傾斜させる１３のスプリングを５の２輪の車軸と７のハンドル軸で支持しカ−ブ走行を容易にする。【０００９】  本考案の一実施例は上述の如き構成からなるものであるから、自転車本体１の前輪を２輪にした電動３人乗り３輪自転車で６と１５の座席を荷物カゴにして通常に走行することは勿論であるが、走行補助電動バッテリ−なしで通常に走行する。
【図面の簡単な説明】
【００１０】
【図１】  本考案の電動３人乗り３輪自転車の一実施例を示す正面図である。
【図２】  本電動３人乗り３輪自転車の一部切欠断面図である。
【符号の説明】
【００１１】１    自転車本体
２    コンパクト車輪
３    並列２輪
４    後輪
５    ２輪車軸
６    子供用前座席
７    ハンドル軸
８    座席支え
９    フットレスト
１０  日除け暴風ネット
１１  座席足部
１２  走行補助電動バッテリー
１３  スプリング
１４  ストッパー
１５  後部座席
【図１】
0003142736.tif 000003
【図２】
0003142736.tif 000004
(57)【要約】      （修正有）【課題】防臭、防虫、防カビ効果を施しつつ保管できるペット用衣類カバーを提供する。【解決手段】防臭、防虫、防カビ効果のある薬剤で処理された不織布４を、ファスナーやボタンがなくても、ペット用衣類３をハンガー１にかけて出し入れする衣類出し入れ口５および下部衣類出し入れ口７が開いたり、めくれたりしないようにうまく重なる様にし、ハンガー１を通したペット用衣類３のハンガー１先端部分がハンガー飛び出し口２より出せる様にし、不織布４がほつれたり破けにくいように、縁布６を用い縫製した、そのままハンガーかけにかけて保存も可能なペット用衣類カバーである。【選択図】図１
0003142739.tif 000002
【実用新案登録請求の範囲】
【請求項１】
防臭、防虫、防カビ効果のある薬剤で処理された不織布（４）を、ペット用衣類（３）をハンガー（１）にかけて出し入れする衣類出し入れ口（５）および下部衣類出し入れ口（７）が開いたり、めくれたりしないように、不織布（４）が重なる様にし、ハンガー（１）を通したペット用衣類（３）のハンガー（１）先端部分がハンガー飛び出し口（２）より出せる様にし、不織布（４）がほつれたり破けにくいように、縁布（６）を用い縫製したペット用衣類カバー。
【考案の詳細な説明】
【技術分野】
【０００１】本考案は衣類の埃や防虫のためのカバーに関する。
【背景技術】
【０００２】クリーニング店で仕上がった衣類を入れて返却したりするビニールカバーや不織布カバーがある。
【考案の開示】
【考案が解決しようとする課題】
【０００３】最近ペット用の衣類が流行してきているが、その衣類を整理し、防臭、防虫、防カビ効果を施しつつ保管できる良いものがなかった。
【課題を解決するための手段】
【０００４】防臭、防虫、防カビ効果のある薬剤で処理された不織布（４）を、ファスナーやボタンがなくても、ペット用衣類（３）をハンガー（１）にかけて出し入れする衣類出し入れ口（５）および下部衣類出し入れ口（７）が開いたり、めくれたりしないように、うまく不織布（４）が重なる様にし、ハンガー（１）を通したペット用衣類（３）のハンガー（１）先端部分がハンガー飛び出し口（２）より出せる様にし、不織布（４）がほつれたり破けにくいように、縁布（６）を用い縫製した、そのままハンガーかけにかけて保存も可能なペット用衣類カバー。
【考案の効果】
【０００５】ペットにおしゃれをさせたいという飼い主の需要に伴いいろいろなペット用の衣類が発売されているが、その整理整頓が効率的に行える。また保管時にペット特有の獣臭を除去し、ダニやノミなどの防虫効果や防カビ効果もあるのでペットの健康及び飼い主の快適性も向上させることができる。
【考案を実施するための最良の形態】
【０００６】防臭、防虫、防カビ効果のある薬剤で処理された不織布（４）を、ファスナーやボタンがなくても、ペット用衣類（３）をハンガー（１）にかけて出し入れする衣類出し入れ口（５）および下部衣類出し入れ口（７）が開いたり、めくれたりしないように、不織布（４）が４〜５センチ程度重なる様にし、ハンガー（１）を通したペット用衣類（３）のハンガー（１）先端部分がハンガー飛び出し口（２）より出せる様にし、不織布（４）がほつれたり、破けにくいように強度を上げ、またデザイン上もアクセントがつくようにカラフルな縁布（６）を用い縫製した、そのままハンガーかけにかけて保存も可能なペット用衣類カバー。中の衣類が分かりやすいように、透明なビニールののぞき窓をつけ、不織布（４）にしみこませた防臭、防虫、防カビの薬剤の効果が低下してきた際に表示する取り替え時期を表示するラベルを設けても良い。
【図面の簡単な説明】
【０００７】
【図１】本考案の斜視図
【符号の説明】
【０００８】（１）ハンガー
（２）ハンガー飛び出し口
（３）ペット用衣類
（４）不織布
（５）衣類出し入れ口
（６）縁布
（７）下部衣類出し入れ口
【図１】
0003142739.tif 000003
(57)【要約】      （修正有）【課題】紙５の安定保持を可能にすることにより、紙５の直線切りを正確且つ容易に行うことができるハサミを提供する。【解決手段】一方の刃にその長さ方向に延びる紙受部材３を配したハサミであって、紙受部材３は、上面が曲面であってその上面中央部に長さ方向に延びる溝４を有し、一方の刃は溝４から上に出ないようにして溝４内に収められて、その外側面が溝４の一方の側の内側面に密着状態に保持され、一方の刃と溝４の他方の側の内側面側との間に、切断動作に際して他方の刃が進入し得る間隙が設けられていることを特徴とするハサミである。紙受部材３は断面円形、楕円形、あるいは、断面逆水滴状とされる。紙受部材３は一方の刃の刃先よりも前方にまで延在することがあり、また、一方の刃に対して着脱可能にされることもある。【選択図】図１
0003142768.tif 000002
【実用新案登録請求の範囲】
【請求項１】
一方の刃にその長さ方向に延びる紙受部材を配したハサミであって、前記紙受部材は、上面が曲面であってその上面中央部に長さ方向に延びる溝を有し、前記一方の刃は前記溝から上に出ないようにして前記溝内に収められて、その外側面が前記溝の一方の側の内側面に密着状態に保持され、前記一方の刃と前記溝の他方の側の内側面との間に、切断動作に際して他方の刃が進入し得る間隙が設けられていることを特徴とするハサミ。
【請求項２】
前記紙受部材は断面円形又は楕円形である請求項１に記載のハサミ。
【請求項３】
前記紙受部材は断面逆水滴状である請求項１に記載のハサミ。
【請求項４】
前記紙受部材は、前記一方の刃の刃先よりも前方にまで延びている請求項１乃至３のいずれかに記載のハサミ。
【請求項５】
前記紙受部材は着脱可能である請求項１乃至４のいずれかに記載のハサミ。
【考案の詳細な説明】
【技術分野】
【０００１】
本考案はハサミ、より詳細には、確実且つ容易に直線切りを行うことができるハサミに関するものである。
【背景技術】
【０００２】
言うまでもなく一般のハサミは、主に紙や紐等を切るための道具であるが、紙を切る場合の多くは、例えば、紙に印刷された切り取り線に沿って行う直線切りである。この直線切りの場合は、紙を、その一端部を持って水平状態に保持して行うか、切断すべき線を刃上にあてがい、紙の両端を摘持して下方に引張りながら行うが、紙が安定しないためにずれ動き、切り取り線から外れることなくきれいに切ることは容易ではない。
【０００３】
【特許文献１】実開平６−３４７号公報
【考案の開示】
【考案が解決しようとする課題】
【０００４】
上記のとおり、一般のハサミを用いて、例えば切り取り線に沿っての直線切りを正確に行うことは、紙の安定保持が難しいために困難なことであった。そこで本考案は、紙の安定保持を可能にすることにより、紙の直線切りを正確且つ容易に行うことができるハサミを提供することを課題とする。
【課題を解決するための手段】
【０００５】
上記課題を解決するための請求項１に記載の考案は、一方の刃にその長さ方向に延びる紙受部材を配したハサミであって、前記紙受部材は、上面が曲面であってその上面中央部に長さ方向に延びる溝を有し、前記一方の刃は前記溝から上に出ないようにして前記溝内に収められて、その外側面が前記溝の一方の側の内側面に密着状態に保持され、前記一方の刃と前記溝の他方の側の内側面側との間に、切断動作に際して他方の刃が進入し得る間隙が設けられていることを特徴とするハサミである。
【０００６】
前記紙受部材は断面円形又は楕円形とされ、あるいは、前記紙受部材は断面逆水滴状とされる。前記紙受部材は前記一方の刃の刃先よりも前方にまで延在することがあり、また、一方の刃に対して着脱可能にされることもある。
【考案の効果】
【０００７】
本考案によれば、切断する紙は、紙受部材の上面曲面部に面接触し、切断操作に際してずれ動くことなく安定状態に保持されるため、紙の直線切りを正確且つ容易になし得る効果がある。
【考案を実施するための最良の形態】
【０００８】
本考案を実施するための最良の形態について、図面に依拠して説明する。図に示すように、本考案に係るハサミは、一般のハサミと同様に一対の刃１、２を中間部で軸支して構成され、一方の刃１には、紙受部材３が設置される。紙受部材３は、断面が円形、楕円形、逆水滴状等の上面が曲面の長尺部材であって、その上面中央部に長さ方向に延びる溝４が形成される。
【０００９】
一方の刃１は、この溝４から上に出ないようにして溝４内に収められ、その外側面が溝４の一方の側の内側面に密着状態となるように保持される。また、一方の刃１と溝４の他方の側の内側面との間には、切断動作に際して他方の刃２が進入し得る間隙が設けられる。紙受部材３は、一度の切断操作でできるだけ長く切断できるようにするため、刃１の刃先よりも前方へ延びるようにすることが好ましい。
【００１０】
また、紙受部材３は、刃１から着脱可能に構成することもできる。そのためには、例えば、紙受部材３をプラスチック製等のある程度弾性を有する資材製としてハサミの軸支部まで覆う長さとし、溝４の両内側面でハサミの軸部分を強く挟持し得る構成にする。その場合、紙受部材３を取り外すには、ハサミを溝４から強く引き抜けばよく、取り付けるときは、溝４の端部にハサミの軸支部を押し込むようにすればよい。
【００１１】
本考案に係るハサミを使用して、切り取り線６のある紙５を該切り取り線６に沿って切るに当っては、刃１、２を拡げた状態で紙受部材３に紙５を掛け、ハサミを持つ手とは反対の手で紙５の両端部を持って下方に引くことにより紙を緊張させ、溝４内に位置する刃１に切り取り線６を合わせる（図３参照）。その場合、紙５両端部を指間に挟んで平行状態に引き下げるようにしてもよいし、図示したように、その両端部を合わせ持って引き下げるようにしてもよい。
【００１２】
かくして緊張状態にされた紙５は、紙受部材３の上面から側面にかけて面接触して滑動しにくい状態となるため、刃１が切り取り線６に合った状態にて安定的に静止する。その状態で、一般のハサミと同様にして刃１、２で紙５を切断するが、紙５は紙受部材３に沿って面接触してずれ動かないため、確実且つ容易に切り取り線６に沿っての切断が可能となる。
【００１３】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１４】
【図１】本考案に係るハサミの一実施形態を示す側面視斜視図である。
【図２】本考案に係るハサミの一実施形態を示す正面視斜視図である。
【図３】本考案に係るハサミの一実施形態の使用状態を示す図である。
【符号の説明】
【００１５】
１    刃
２    刃
３    紙受部材
４    溝
５    紙
６    切り取り線
【図１】
0003142768.tif 000003
【図２】
0003142768.tif 000004
【図３】
0003142768.tif 000005
(57)【要約】      （修正有）【課題】収納と携帯、荷物の持ち運び容易で、かつ製造容易な肩掛け袋を提供する。【解決手段】袋本体１の上部を封じた肩掛け部３が、従来、別途に独立して設けられている肩掛け部分を代用し、更に、両側面上部に開口した荷物出入口兼腕通し口２の双方が、荷物の出し入れ口と、肩掛け部３を肩に掛けるための腕通し口とを兼ねることで機能部分を簡略化し、効果的に配置、構成した肩掛け袋にすることによって、収納と携帯、荷物の持ち運びを容易にし、消費者が袋を有効に使う意識と動機を誘発することにより、袋の浪費による弊害の防止に役立つ。【選択図】図２
0003142721.tif 000002
【実用新案登録請求の範囲】
【請求項１】
袋の上部を底部と同様に封じ、当該上部を肩掛け部とし、両側面上部に開口部を設け、当該開口部を荷物出入口兼腕通し口としたことを特徴とする肩掛け袋
【考案の詳細な説明】
【技術分野】
【０００１】  本考案は、袋の上部を底部と同様に封じて肩掛け部とし、両側面上部に設けた開口部の双方を荷物出入口兼腕通し口とした肩掛け袋に関するものである。
【技術背景】
【０００２】  従来、買物時に小売店が提供しているレジ袋と呼ばれている袋や紙袋は、手提げ袋が定着していて、肩に掛けて荷物を運べるものは皆無に近い。手提げ袋は、買物量が多いときや、ハンドバッグなどの他の荷物を持っているときには両手が塞がってしまい不便なことが多く、傘を差したときには荷物の持ち運びが特に大変で困る。また、手提げ部分のほとんど全ては面積が狭くて細いので、荷物が重いときには手提げ部分が指や腕に食い込んで痛くなり、長時間の持ち運びは大変な苦痛になる。買物の都度に提供される新しい袋は、買物人口、買物回数に比例して膨大な数量に上るが、小売店、消費者からは無料のサービス品であると習慣的に考えられてきたことや、使い捨てに慣れてしまったこともあって、袋として十分に使える機能があるにもかかわらず、一度持ち帰った袋を次の買物のために空で持ち出して何度も繰り返し使う消費者はほとんどいない。商品や店のブランド価値を高めるためにデザインや素材を重視して作られた見映えがよい紙袋などは、保存して荷物の持ち出しに使われることは僅かにあるが、これらの袋ほど厚手のものが多いので、空でたたんでもハンドバッグやポケットには収まらず、常時携帯するには荷物が増えて煩わしいので、劣化するまで繰り返し有効に使われることはなく、手提げ袋のほとんど全てが一度使用されるだけで膨大な量のゴミとなって廃棄されている。
【考案の開示】
【考案が解決しようとする課題】
【０００３】  買物の都度に提供される大量の新しい手提げ袋は、安価なものとはいえ製造、輸送、保管、廃棄、回収、焼却などには相応のコストが掛かり、袋として十分な機能があるにもかかわらず、劣化するまで繰り返し使われることなく浪費され、ほとんど全てが一度使用されるだけで膨大な量のゴミとなって廃棄されていることは、資源の浪費であり大変に不経済である。更に、製造から廃棄、焼却までには相応のエネルギーも消費されており、国際的にも問題になっている二酸化炭素の増加による地球温暖化の一因にも繋がり、環境を汚染している。従って本考案は、手提げ袋が有効活用されない障害となっている要因を除去すべく、袋の形態を手提げ袋に替わる、機能部分を簡略化し、効果的に配置、構成した肩掛け袋にすることによって前述の課題を解決しようとしている。
【課題を解決するための手段】
【０００４】  本考案の肩掛け袋は、通常の袋の開口部である上部を底部と同様に封じ、当該上部を、従来のショルダーバッグやリュックサックの、別途に独立して設けられている肩掛け部分を代用する肩掛け部とし、更に、開口部を両側面上部に設け、当該開口部双方を荷物の出し入れ口と、肩に掛けるための腕通し口とを兼ねる荷物出入口兼腕通し口とすることで袋の機能部分を簡略化し、効果的に配置、構成して形状を単純、扁平な四角形に成形することを可能として、収納と携帯、荷物の持ち運びを容易にすることにより前述の課題を解決している。【０００５】  本考案の携帯肩掛け袋は、袋上部全体を封じた肩掛け部が、従来のショルダーバッグやリュックサックに別途に設けられている肩掛け部分を代用することで、独立した肩掛け部分の設置を不要として袋の機能部分を簡略化してある。更に、両側面上部に設けた開口部である荷物出入口兼腕通し口が、荷物の出し入れ口と、袋を肩に掛けるための腕通し口とを兼ねることによって、同様に袋の機能部分を簡略にして、空の状態での形状を単純で扁平な四角形に成形が可能となり、薄く小さく折りたためばハンドバッグやポケットに容易に収納できて邪魔にならず、常時携帯する煩わしさは除去される。また、袋上部全体の肩掛け部の面積は、従来のショルダーバッグやリュックサックの肩掛け部分や、手提げ袋の手提げ部分より大幅に広くなって過重負担が分散されるので、荷重補強のために手提げ部分を折り重ねたり、肩掛け部分に太さや厚みを持たせたりする必要もなくなることで、最少の厚みの扁平で単純な成形が可能となり、同様に、収納も常時携帯の煩わしさも除去される。また、肩に掛けることによって手が塞がれることがなくなり、他の用途に手を使えることで、荷物の持ち運びの不便さが除去され、消費者が買物時に袋を常時携帯して繰り返し有効に使う意識と動機を誘発することが可能となり、前述の資源とエネルギーの浪費、二酸化炭素の増加による地球の温暖化、環境汚染の防止に役立つ。
【考案を実施するための最良の形態】
【０００６】  空の状態で凹凸のない扁平で単純な四角形である袋本体を、ハンドバッグやポケットに収まる大きさに折りたたんで収納、携帯し、買物品は両側面上部に設けた荷物出入口兼腕通し口より入れ、同じ荷物出入口兼腕通し口双方に腕を通し、封じた袋上部の肩掛け部を肩に掛けて荷物を運び、荷物を取り出したあとは折りたたみ、収納、携帯を繰り返し、劣化して破れたり、見映えが悪くなるまで使用してからゴミを入れて廃棄する。
【実施例】
【０００７】  以下、添付図面に従って一実施例を説明する。１はポリエチレン等適宜素材にて形成された袋本体、２は荷物出入口兼腕通し口、３は肩掛け部で、荷物出入口兼腕通し口２を開いて荷物を入れ、同じ荷物出入口兼腕通し口２の双方に腕を通し、肩掛け部３を肩に掛けて荷物を運ぶ。
【図面の簡単な説明】
【０００８】
【図１】本考案の携帯肩掛け袋の一実施例を示す正面図である。
【図２】本考案の携帯肩掛け袋の荷物出入口兼腕通し口を広げた状態の斜視図である。
【符号の説明】
【０００９】  １  袋本体
２  荷物出入口兼腕通し口
３  肩掛け部
【図１】
0003142721.tif 000003
【図２】
0003142721.tif 000004